(57)【特許請求の範囲】
【請求項１】
画像形成装置内に略水平向きに取付けられ、トナー補給装置の回転駆動手段によって回転駆動されるトナー収納容器において、
筒状の容器本体の一端側における回転中心軸上に形成され、前記容器本体の径よりも小径のトナー吐出口と、
前記回転駆動手段に設けられた係合爪と係合するように前記容器本体の外周部に形成されたリング状の係合突起と、
前記容器本体の前記トナー吐出口が形成された側に形成され、前記トナー吐出口の外周部から前記容器本体の略外周部に至る径方向寸法を有し、内部が前記容器本体の空間部をなし、外部に前記容器本体の周方向と略直交して前記回転駆動手段の一部と係合する係合面を形成する迫り出し部と、
前記容器本体の周方向と略直交して前記迫り出し部の内部に形成され、前記係合面を介して前記回転駆動手段に回転駆動された前記容器本体の回転に伴い前記迫り出し部が最下位置から上方へ移動するにつれて前記空間部内に入り込んだトナーをこの空間部の外周部から前記トナー吐出口へ案内する案内面と、
を具備することを特徴とするトナーを収納したトナー収納容器。
【発明の詳細な説明】
【０００１】
【産業上の利用分野】
本発明は、画像形成装置内に略水平向きに取付けられると共に回転駆動されることによりトナーの補給を行なうトナーを収納したトナー収納容器に関する。
【０００２】
【従来の技術】
近年、複写機やファクシミリ等の画像形成装置においては小型化を図るためにトナー収納容器を略水平状態にセットすることが行なわれており、トナー収納容器を略水平状態にセットするトナー補給装置としては特開平３−２８８１号公報や特開昭５９−１８８６７８号公報等に開示されたものがある。
【０００３】
そして、これらのトナー補給装置においては、トナー収納容器の内周面に螺旋状突起を形成し、トナー収納容器をその中心線回りに回転させることにより内部のトナーを螺旋状突起によりトナー吐出口側へ搬送し、そのトナーをトナー吐出口から吐出させることによって現像部へのトナー補給を行なっている。
【０００４】
【発明が解決しようとする課題】
しかし、トナー収納容器を含むトナー補給ユニットのより一層の小型化等を図るためにトナー吐出口をトナー収納容器の一端側中央部に形成した場合には、トナー収納容器内のトナー残量が少なくなるにつれてトナー吐出口からのトナー吐出量が低下し、現像部へのトナー補給が不安定になる。さらに、トナー残量が所定量以下になるとトナー吐出口からトナーが吐出されなくなり、トナー収納容器内に残留したままとなって無駄になるトナーができるという欠点がある。
【０００５】
【課題を解決するための手段】
画像形成装置内に略水平向きに取付けられ、トナー補給装置の回転駆動手段によって回転駆動されるトナー収納容器において、筒状の容器本体の一端側における回転中心軸上に形成され、前記容器本体の径よりも小径のトナー吐出口と、前記回転駆動手段に設けられた係合爪と係合するように前記容器本体の外周部に形成されたリング状の係合突起と、前記容器本体の前記トナー吐出口が形成された側に形成され、前記トナー吐出口の外周部から前記容器本体の略外周部に至る径方向寸法を有し、内部が前記容器本体の空間部をなし、外部に前記容器本体の周方向と略直交して前記回転駆動手段の一部と係合する係合面を形成する迫り出し部と、前記容器本体の周方向と略直交して前記迫り出し部の内部に形成され、前記係合面を介して前記回転駆動手段に回転駆動された前記容器本体の回転に伴い前記迫り出し部が最下位置から上方へ移動するにつれて前記空間部内に入り込んだトナーをこの空間部の外周部から前記トナー吐出口へ案内する案内面と、を具備したトナーを収納するトナー収容容器である。
【０００８】
【実施例】
本発明の第一の実施例を図１乃至図５に基づいて説明する。まず、図２は画像形成装置である普通紙複写機１の全体構造を簡略化して示した平面図であり、図１はその普通紙複写機１におけるトナー補給ユニットの構造を示したものである。前記普通紙複写機１には固定ブラケット２が固定されており、この固定ブラケット２にはトナーを収納したトナー収納容器３を略水平向きに保持するための保持手段である可動ブラケット４が上下一対のピン５，６を支点として水平面内で回動自在に取付けられている。また、前記可動ブラケット４には略水平向きに保持された前記トナー収納容器３をその軸方向に回転させる回転駆動手段７が取付けられており、この回転駆動手段７は、モータ８、モータ８により回転駆動されるギヤ群９、ギヤ群９の最終ギヤと噛み合うギヤ１０が形成されると共に前記トナー収納容器３の先端側が挿入される筒状回転伝達部材１１によって形成されている。なお、前記筒状回転伝達部材１１は前記可動ブラケット４に固定的に保持されたトナー収納容器ストッパ１２内に回転自在に保持されている。
【０００９】
前記トナー収納容器３における円筒状の容器本体１３の内周面には螺旋状に巻回された螺旋状突起１４が形成され、容器本体１３の先端側中央部にはトナーが吐出されるトナー吐出口１５が形成されている。なお、前記螺旋状突起１４は、前記トナー収納容器３がその軸方向へ回転することに伴って内部のトナーをトナー吐出口１５側へ向けて搬送する向きに形成されている。また、前記容器本体１３における前記トナー吐出口１５が形成された側の外周部にはリング状の係合突起１６が形成され、この係合突起１６に係合することにより前記可動ブラケット４に保持された前記トナー収納容器３の取外しを規制する係合爪１７が前記トナー収納容器ストッパ１２に取付けられている。また、前記可動ブラケット４には、前記トナー吐出口１５から吐出されたトナーを現像部（図示せず）へ供給するためのトナー導入部１８が設けられている。
【００１０】
前記容器本体１３における前記トナー吐出口１５が形成された先端側には、トナー吐出口１５の外周部から容器本体１３の略外周部に至る径方向寸法を有する迫り出し部１９が形成され、この迫り出し部１９の内部には前記容器本体１３の内部に連通した空間部２０が形成されている。また、前記迫り出し部１９の外周部には、容器本体１３の周方向、即ち、トナー収納容器３の回転方向と略直交する係合面２１が形成されている。さらに、前記迫り出し部１９の内周には、トナー収納容器３の回転方向と略直交すると共にトナー収納容器３の回転に伴って迫り出し部１９が最下位置から上方へ回動するにつれて前記空間部２０内に入り込んだトナーをこの空間部２０の外周部側から前記トナー吐出口１５側へ案内する案内面２２が形成されている。
【００１１】
なお、前記筒状回転伝達部材１１には前記係合面２１に係合することによりこの筒状回転伝達部材１１からトナー収納容器３へ回転伝達する係合部２３が形成されており、トナー収納容器３の先端側を筒状回転伝達部材１１内に挿入した際に係合部２３が係合面２１に係合される。また、前記係合面２１と案内面２２とは、前記迫り出し部１９における前記トナー収納容器３の回転方向後方側に位置して形成されている。さらに、前記案内面２２は、迫り出し部１９の外周部側におけるトナー収納容器３の軸方向の幅寸法が最も大きく形成されると共にその幅寸法がトナー吐出口１５に向かうにつれて次第に狭く形成され、しかも、案内面２２の縁部はこの案内面２２上を案内されるトナーをトナー吐出口１５側へ寄せるための湾曲した形状に形成されている。
【００１２】
つぎに、前記トナー吐出口１５にはキャップ内栓２４が着脱自在に取付けられている。一方、前記可動ブラケット４には、前記可動ブラケット４の回動操作に伴って前記キャップ内栓２４を前記トナー吐出口１５に対して脱着するキャップ内栓脱着手段２５が設けられており、このキャップ内栓脱着手段２５は、前記キャップ内栓２４の中央部に外方向きに突出形成された突起部２６を摘んだり離したりするコレットチャック２７と、コレットチャック２７により突起部２６を摘まれたキャップ内栓２４をコレットチャック２７と共に開栓位置と閉栓位置とへ移動させてトナー吐出口１５を開閉させるカム機構２８とにより形成されている。
【００１３】
ここで、前記コレットチャック２７は、前記トナー収納容器ストッパ１２のボス部１２ａにスライド自在に保持された筒状の中子２９と、中子２９内にスライド自在に嵌合されたシャフト３０と、シャフト３０の先端側に固定された可撓性を有する摘み部３１とによって形成されている。また、前記カム機構２８は、前記トナー収納容器ストッパ１２の段部１２ｂと前記中子２９のフランジ部２９ａとの間に介装されて中子２９をトナー収納容器３側へ付勢する円錐コイルバネ３２と、前記シャフト３０の後端側に取付けられたコロ３３と、前記コロ３３をガイドするガイドカム部３４が形成されると共に前記固定ブラケット２に固定されたブラケットヒンジ３５とによって形成されている。
【００１４】
このような構成において、まず、トナー収納容器３を普通紙複写機１内に取付ける手順について説明する。可動ブラケット４をピン５，６を支点として図２において二点鎖線で示した位置（トナー収納容器３の着脱位置）に回動させ、トナー収納容器３におけるトナー吐出口１５が形成されている先端側をトナー収納容器ストッパ１２内に挿入すると共にトナー収納容器３を可動ブラケット４により保持し、係合爪１７を係合突起１６に係合させる。ここで、トナー収納容器ストッパ１２内には筒状回転伝達部材１１が回転自在に保持されており、トナー収納容器３の先端側をトナー収納容器ストッパ１２内に挿入することにより迫り出し部１９の係合面２１に筒状回転伝達部材１１の係合部２３が係合される。なお、トナー収納容器３を可動ブラケット４により保持させる際にはキャップ内栓２４を取付けた状態で行ない、キャップ内栓２４の突起部２６が図３（ａ）に示したようにコレットチャック２７の摘み部３１の間に入り込むと共にキャップ内栓２４は閉栓状態に維持される。
【００１５】
ついで、可動ブラケット４をピン５，６を支点として図２において破線で示した位置（トナー補給位置）へ回動させる。すると、この回動操作に伴ってコロ３３がガイドカム部３４に沿って図３（ｂ）に示した位置から図４（ｂ）に示した位置へ移動し、同時にコレットチャック２７が図３（ａ）に示した位置から図４（ａ）に示した位置へスライドする。ここで、コレットチャック２７の一部であるシャフト３０と摘み部３１とが図４（ａ）の位置へ向けて僅かにスライドしたときに摘み部３１の外周部が中子２９に当接して内側に撓み、摘み部３１がキャップ内栓２４の突起部２６を摘む。そして、引き続きシャフト３０と摘み部３１とが図４（ａ）の位置へ向けてスライドすることにより、中子２９や摘み部３１に摘まれたキャップ内栓２４も一体的にスライドして円錐コイルバネ３２を圧縮し、やがて、図４（ａ）に示したようにキャップ内栓２４が開栓位置へ移動すると共にトナー吐出口１５が開放され、トナー収納容器３がトナー吐出口１５を介してトナー導入部１８に連通され、トナー収納容器３の取付けが終了する。従って、普通紙複写機１へトナー収納容器３を取付ける際には、予めキャップ内栓２４を開栓する必要がなく、この取付時におけるトナー吐出口１５からのトナーのこぼれ出しが防止されると共に、こぼれ出したトナーによって作業者の手や衣類及び可動ブラケット４を汚すということが防止される。
【００１６】
つぎに、トナー収納容器３の取付けが終了した後に複写を行なうことになるが、トナー導入部１８内のトナーが所定量以下であることをセンサ（図示せず）が検出すると、その検出結果に基づいてモータ８が駆動される。そして、モータ８の駆動によりギヤ群９とギヤ１０とを介して筒状回転伝達部材１１が回転駆動され、迫り出し部１９の係合面２１と筒状回転伝達部材１１の係合部２３との係合によってトナー収納容器３がその軸方向に筒状回転伝達部材１１と一体的に回転駆動される。トナー収納容器３がその軸方向に回転すると、トナー収納容器３内のトナーが螺旋状突起１４によりトナー吐出口１５側へ次第に搬送されると共に迫り出し部１９の空間部２０内に入り込み、やがて、トナー吐出口１５から吐出される。トナー吐出口１５から吐出されたトナーはトナー収納容器ストッパ１２に形成されたトナー落下用開口３６を通過してトナー導入部１８へ供給され、さらに、現像部へ供給される。
【００１７】
ここで、トナー収納容器３内に多量のトナーが存在する場合には、トナー吐出口１５からのトナーの吐出は、迫り出し部１９内に形成した案内面２２の作用を受けなくとも良好に行なわれる。しかし、トナー収納容器３内のトナー残量が少なくなった段階では、空間部２０内に入り込んだトナーは、迫り出し部１９が最下位置から上方へ回動するにつれて案内面２２にそってトナー吐出口１５側へ移動し、やがてトナー吐出口１５から吐出される。従って、迫り出し部１９や案内面２２を形成することにより、トナー収納容器３内のトナー残量が少なくなった段階においてもトナー吐出口１５からのトナーの吐出が良好に行なわれ、トナー収納容器３内のトナーを無駄なく使用することができる。なお、案内面２２は迫り出し部１９におけるトナー収納容器３の回転方向後方側に位置するため、空間部２０内に入り込んだトナーはトナー収納容器３が回転しても回転方向後方へは移動せず、案内面２２にそってトナー吐出口１５側へ移動する。
【００１８】
また、迫り出し部１９に形成した係合面２１を利用して筒状回転伝達部材１１からトナー収納容器３への回転伝達を行なっているため、トナー収納容器３への回転伝達を行なうための突起等を別個に形成することが不要となり、しかも、係合部２３を係合面２１に係合させることによる回転伝達は確実に行なわれる。
【００１９】
つぎに、トナー収納容器３内にトナーがなくなった場合にはトナー収納容器３を新たなものに交換するが、この交換時においては、可動ブラケット４をピン５，６を支点として図２において二点鎖線で示したトナー収納容器３の着脱位置へ回動させる。すると、この回動操作に伴ってコロ３３が図４（ｂ）に示した位置からガイドカム部３４にそって図３（ｂ）に示した位置へ向けて移動し、同時に、コレットチャック２７がキャップ内栓２４と共に図４（ａ）に示した位置から図３（ａ）に示した位置へ向けてスライドし、キャップ内栓２４によりトナー吐出口１５が閉止される。また、中子２９のフランジ部２９ａがトナー吐出口１５の先端部に当接してスライドが規制された後にもシャフト３０と摘み部３１とが僅かにスライドするように寸法が設定されているため、フランジ部２９ａがトナー吐出口１５の先端部へ当接した直後に摘み部３１が外方へ撓み、摘み部３１による突起部２６の摘み状態が解除される。従って、トナーがなくなったトナー収納容器３を可動ブラケット４から取外す際には、トナー吐出口１５がキャップ内栓２４により閉止されているため、トナー収納容器３を取外す際にトナー収納容器３内に僅かに残留しているトナーが外部にこぼれ出すことがなくなり、こぼれ出したトナーによって作業者の手や衣類及び可動ブラケット４を汚すということが防止される。
【００２０】
なお、本実施例においては、容器本体１３の内周面に螺旋状突起１４を形成したトナー収納容器３を例に挙げて説明したが、この螺旋状突起１４は必ずしも必要なものではなく、容器本体の内周面を平滑面としてもよい。そして、容器本体の内周面を平滑面とした場合には、容器本体をトナー吐出口１５側に向けて次第に拡開する形状の円筒体とし、又は、容器本体をトナー吐出口１５が下側となるように僅かに傾斜させて取付けることにより、回転に伴うトナーの搬送は螺旋状突起１４を形成した場合と略同様に行なわれる。
【００２１】
また、迫り出し部の形状に関しては上述した形状に限定されるものではなく、例えば、図６に示したように容器本体１３の略１／２の断面形状で迫り出した迫り出し部１９ａや、図７に示したように容器本体１３の略１／４の断面形状で迫り出した迫り出し部１９ｂとしてもよい。そして、迫り出し部１９ａ，１９ｂ内に形成した案内面２２ａに関しては、縁部を湾曲させない平坦面であってもよい。
【００２２】
ついで、本発明の第二の実施例を図８に基づいて説明する。なお、図１乃至図５において説明した部分と同一部分は同一符号で示し、説明も省略する（以下、同様）。本実施例は、トナー収納容器３の先端側に二個の迫り出し部１９を１８０゜離間させて形成すると共に、筒状回転伝達部材１１にこれらの迫り出し部１９の係合面２１に係合する二個の係合部２３を形成したものである。なお、二個の迫り出し部１９の内周にはそれぞれ案内面２２が形成されている。
【００２３】
このような構成において、トナー収納容器３が一回転する間に案内面２２にそったトナー吐出口１５へのトナーの案内が二回行なわれるため、トナー収納容器３内のトナー残量が少なくなった段階におけるトナー吐出口１５からのトナーの吐出がより一層良好に行なわれる。また、筒状回転伝達部材１１からトナー収納容器３への回転伝達を行なうための係合面２１と係合部２３との係合箇所が二ヵ所となるため、筒状回転伝達部材１１からトナー収納容器３への回転伝達がより一層確実に行なわれる。
【００２４】
ついで、本発明の第三の実施例を図９に基づいて説明する。本実施例は、トナー収納容器３の先端側に四個の迫り出し部１９をそれぞれ９０゜ずつ離間させて形成すると共に、筒状回転伝達部材１１にこれらの迫り出し部１９の係合面２１に係合する四個の係合部２３を形成したものである。なお、四個の迫り出し部１９の内周にはそれぞれ案内面２２が形成されている。
【００２５】
このような構成において、トナー収納容器３が一回転する間に案内面２２にそったトナー吐出口１５へのトナーの案内が４回行なわれるため、トナー収納容器３内のトナー残量が少なくなった場合におけるトナー吐出口１５からのトナーの吐出がより一層良好に行なわれる。また、筒状回転伝達部材１１からトナー収納容器３への回転伝達を行なうための係合面２１と係合部２３との係合箇所が四ヵ所となるため、筒状回転伝達部材１１からトナー収納容器３への回転伝達がより一層確実に行なわれる。
【００２６】
ついで、本発明の第四の実施例を図１０乃至図１２に基づいて説明する。本実施例のトナー収納容器３には迫り出し部１９が一個形成され、トナー吐出口１５の周縁部にはこの迫り出し部１９における案内面２２側に向けて延出した遮蔽部３７が形成されている。従って、トナー吐出口１５における案内面２２と遮蔽部３７とにより挾まれた部分の開口面積が狭くなっている。
【００２７】
このような構成において、図１２はトナー収納容器３内のトナー残量とトナー収納容器３の一回転当りのトナー吐出量との関係を示したもので、遮蔽部３７を形成してトナー吐出口１５の開口面積を狭めることにより、トナー収納容器３内のトナー残量が多い段階において多量のトナーが一度に吐出されるということが防止され、トナー吐出口１５からのトナーの吐出が良好に行なわれる。具体的には、トナー収納容器３の一回転当りのトナー吐出量は最適範囲である０．５ｇ／回転〜６ｇ／回転となる。なお、トナー収納容器３内のトナー残量が少なくなった段階では、迫り出し部１９及び案内面２２の作用によってトナー吐出が最適範囲で行なわれる。
【００２８】
ついで、本発明の第五の実施例を図１３に基づいて説明する。まず、トナー収納容器においては、＋に帯電する特性を有するトナーを収納したものと、−に帯電する特性を有するトナーを収納したものとがあり、どちらの特性を有するトナーを使用するかは複写機の形式によって予め定められている。また、カラーコピーを行なう複写機においては、トナー収納容器内に収納したトナーの色によってそのトナー収納容器を取付けるべき箇所が定められている。
【００２９】
従って、＋に帯電する特性を有するトナーを収納したトナー収納容器を取付けるべき複写機に−に帯電する特性を有するトナーを収納したトナー収納容器を誤って取付けた場合や、黒のトナーを収納したトナー収納容器を取付けるべき箇所にイエローのトナーを収納したトナー収納容器を誤って取付けた場合には、正常な画像形成が行なわれなくなり、しかも、正常に機能する状態への回復には手間がかかる。そこで、本実施例はトナー収納容器を誤って取付けることを防止することを目的としたものである。
【００３０】
図１３（ａ）は＋に帯電する特性を有するトナーを収納したトナー収納容器３ａとこのトナー収納容器３ａの先端部が挿入される筒状回転伝達部材１１ａとを示したもので、トナー収納容器３ａの迫り出し部１９の側方端面における外周部側に寄った位置に凸部３８ａが形成され、筒状回転伝達部材１１ａの内周面における外周部によった位置に前記凸部３８ａが係合する凹部３９ａを形成されている。一方、図１３（ｂ）は−に帯電する特性を有するトナーを収納したトナー収納容器３ｂとこのトナー収納容器３ｂの先端部が挿入される筒状回転伝達部材１１ｂとを示したもので、トナー収納容器３ｂの迫り出し部１９の側方端面における中央部に寄った位置に凸部３８ｂが形成され、筒状回転伝達部材１１ｂの内周面における中央部に寄った位置に前記凸部ｂが係合する凹部３９ｂが形成されている。
【００３１】
従って、トナー収納容器３ａ，３ｂの取付けが正しく行なわれた場合には、凸部３８ａと凹部３９ａ、又は、凸部３８ｂと凹部３９ｂとが係合し、トナー収納容器３ａ，３ｂの取付けを行なうことができる。一方、トナー収納容器３ａ，３ｂの取付けを誤って行なった場合には、凸部３８ａと凹部３９ｂ、又は、凸部３８ｂと凹部３９ａとでは係合せず、トナー収納容器３ａ，３ｂを誤って取付けるということが防止される。
【００３２】
なお、凸部３８ａ，３８ｂの形成に関しては、迫り出し部１９の側方端面における中央部寄りの位置から外周部寄りの位置へ至る長い形状の凸部を形成し、その凸部の一部を必要に応じて切断加工することにより凸部３８ａ又は３８ｂを形成してもよい。このような方式を採用することにより、トナー収納容器の型が一種類でよく、製造コストをダウンさせることができる。
【００３３】
本発明は、筒状の容器本体の一端側における回転中心軸上に形成され、前記容器本体の径よりも小径のトナー吐出口と、前記回転駆動手段に設けられた係合爪と係合するように前記容器本体の外周部に形成されたリング状の係合突起と、前記容器本体の前記トナー吐出口が形成された側に形成され、前記トナー吐出口の外周部から前記容器本体の略外周部に至る径方向寸法を有し、内部が前記容器本体の空間部をなし、外部に前記容器本体の周方向と略直交して前記回転駆動手段の一部と係合する係合面を形成する迫り出し部と、前記容器本体の周方向と略直交して前記迫り出し部の内部に形成され、前記係合面を介して前記回転駆動手段に回転駆動された前記容器本体の回転に伴い前記迫り出し部が最下位置から上方へ移動するにつれて前記空間部内に入り込んだトナーをこの空間部の外周部から前記トナー吐出口へ案内する案内面と、を具備しているので、装置の保持部に簡単に取り付けることができ、また、トナー収納容器内のトナー残量が少なくなった段階でも容器本体内のトナーは迫り出し部が最下位置から上方へ回動するにつれて迫り出し部の外周部側からトナー吐出口側へ案内されると共に容器本体の一端側における回転中心軸上に形成されたトナー吐出口から吐出されるため、トナー残量が少なくなった段階でもトナーの吐出を円滑に行なうことができると共にトナーをトナー収納容器内に残留させずに無駄なく有効に使用することができるという効果を有する。
【図面の簡単な説明】
【図１】本発明の第一の実施例におけるトナー補給ユニットの構造を示した縦断正面図である。
【図２】普通紙複写機を簡略化して示した平面図である。
【図３】可動ブラケットをトナー収納容器の着脱位置へ回動させた状態におけるキャップ内栓脱着手段を示したもので、（ａ）は縦断側面図、（ｂ）は一部を断面にした平面図である。
【図４】可動ブラケットをトナー補給位置へ回動させた状態におけるキャップ内栓脱着手段を示したもので、（ａ）は縦断正面図、（ｂ）は一部を断面にした平面図である。
【図５】トナー収納容器と筒状回転伝達部材とトナー収納容器ストッパとを示した分解斜視図である。
【図６】迫り出し部の形状を代えた変形例を示した斜視図である。
【図７】迫り出し部の形状を代えた他の変形例を示した斜視図である。
【図８】本発明の第二の実施例におけるトナー収納容器と筒状回転伝達部材とを示した分解斜視図である。
【図９】本発明の第三の実施例におけるトナー収納容器を示した斜視図である。
【図１０】本発明の第四の実施例におけるトナー収納容器の一部を示した縦断正面図である。
【図１１】その正面図である。
【図１２】トナー収納容器内のトナー残量とトナー吐出量との関係を示したグラフである。
【図１３】本発明の第四の実施例におけるトナー収納容器と筒状回転伝達部材との係合関係を一部を断面にして示した正面図である。
【符号の説明】
３，３ａ，３ｂ      トナー収納容器
４                  保持手段
１３                  容器本体
１５                  トナー吐出口
１６                    係合突起
１９，１９ａ，１９ｂ  迫り出し部
【図１】
0003577257.tif 000002
【図２】
0003577257.tif 000003
【図３】
0003577257.tif 000004
【図４】
0003577257.tif 000005
【図５】
0003577257.tif 000006
【図６】
0003577257.tif 000007
【図７】
0003577257.tif 000008
【図８】
0003577257.tif 000009
【図９】
0003577257.tif 000010
【図１０】
0003577257.tif 000011
【図１１】
0003577257.tif 000012
【図１２】
0003577257.tif 000013
【図１３】
0003577257.tif 000014